(57)【要約】【課題】面方向の輝度低下の抑制と視野角特性の向上とを両立させつつ、従来よりも表示画質を向上させることが可能な表示装置を提供する。【解決手段】異方性散乱フィルム１８において、面内方向（Ｘ−Ｙ平面内の方向）の領域を、厚み方向（Ｚ方向）から傾斜した四角柱状からなる複数の高屈折率領域１８Ｈと、低屈折率領域１８Ｌとから構成する。これにより、四角柱状の高屈折率領域１８Ｈの傾斜方向に応じて、散乱された表示光が選択的に出射される。また、四角柱状の高屈折率領域１８Ｈにおいて、矩形断面の一辺（Ｘ方向の一辺）が面光源１６０の発光面と略平行となるようにする。これにより、傾斜方向以外の方向からの入射光が散乱されず、入射角θを維持したまま出射される。したがって、従来と比べ、入射光の光量損失が低減する共に、散乱に起因した表示画像のぼけが抑えられる。【選択図】図１
2009265406.tif 000002
【特許請求の範囲】
【請求項１】
各画素に配置された発光素子と、
前記発光素子の観察面側に配置され、角度依存の配光特性を有する前記発光素子からの入射光を散乱させるための異方性散乱層と
を備え、
前記異方性散乱層では、面内方向の領域が、複数の高屈折率領域と、これら高屈折率領域よりも屈折率の低い低屈折率領域とから構成され、
前記高屈折率領域が、厚み方向から傾斜してなる四角柱状であると共に、この四角柱状の高屈折率領域における矩形断面の一辺が、前記発光素子の発光面と略平行である
表示装置。
【請求項２】
前記異方性散乱層が単一の散乱層により構成され、
前記四角柱状の高屈折率領域が、前記単一の散乱層内で、互いに異なる複数の傾斜角を有する
請求項１に記載の表示装置。
【請求項３】
前記異方性散乱層が、積層された複数の散乱層により構成され、
前記四角柱状の高屈折率領域における傾斜角が、前記複数の散乱層ごとに互いに異なっている
請求項１に記載の表示装置。
【請求項４】
前記四角柱状の高屈折率領域における傾斜角が、前記発光面側から前記観察面側となるのに従って、次第に大きくなるように設定されている
請求項３に記載の表示装置。
【請求項５】
前記四角柱状の高屈折率領域における傾斜角が、前記入射光の臨界角以下に設定されている
請求項１に記載の表示装置。
【請求項６】
前記異方性散乱層の面内方向において、前記複数の高屈折率領域がマトリクス状に配置されると共に、これら高屈折率領域の隙間に、前記低屈折率領域が配置されている
請求項１に記載の表示装置。
【請求項７】
前記異方性散乱層が、前記発光面の近傍に配置されている
請求項１に記載の表示装置。
【請求項８】
前記発光素子が有機ＥＬ素子であり、有機ＥＬ表示装置として構成されている
請求項１ないし請求項７のいずれか１項に記載の表示装置。
【請求項９】
前記有機ＥＬ素子が、共振器構造を有するものである
請求項８に記載の表示装置。
【請求項１０】
前記有機ＥＬ素子の前記観察面側に、反射鏡が設けられている
請求項８に記載の表示装置。
【請求項１１】
前記発光素子が、光源と液晶素子とを含み、液晶表示装置として構成されている
請求項１ないし請求項７のいずれか１項に記載の表示装置。
【請求項１２】
前記液晶素子が、一対の透明基板と、これら一対の透明基板間に充填された液晶層と、前記透明基板上に配置された一対の偏光板とを含んで構成され、
前記異方性散乱層が、前記一対の偏光板のうちの前記観察面側の偏光板よりも、観察面側に配置されている
請求項１１に記載の表示装置。
【請求項１３】
表示機能を有する表示装置を備え、
前記表示装置は、
各画素に配置された発光素子と、
前記発光素子の観察面側に配置され、角度依存の配光特性を有する前記発光素子からの入射光を散乱させるための異方性散乱層と
を有し、
前記異方性散乱層では、面内方向の領域が、複数の高屈折率領域と、これら高屈折率領域よりも屈折率の低い低屈折率領域とから構成され、
前記高屈折率領域が、厚み方向から傾斜してなる四角柱状であると共に、この四角柱状の高屈折率領域における矩形断面の一辺が、前記発光素子の発光面と略平行である
電子機器。
【発明の詳細な説明】
【技術分野】
【０００１】
本発明は、配光特性をもつ表示光を出射する表示装置、およびそのような表示装置を備えた電子機器に関する。
【背景技術】
【０００２】
有機ＥＬ（ElectroLuminescence）素子やＬＥＤ（Light Emitting Diode）などの自発光素子を用いた表示装置や光源装置において、光利用効率を向上させるため、多重反射を用いた共振器構造や反射鏡を用いた構造が提案され、実現されている。しかしながら、このような構造を採用した場合、出力光の配光分布において指向性が強くなる場合が多く、このような配光特性は表示装置としては好ましいものではない。特に、斜め方向から見たときの輝度の急激な低下や色ずれ（視野角特性）などは、表示画質を著しく低下させる原因となる。
【０００３】
従来、このような視野角特性を改善する方法として、樹脂中にビーズを散布した拡散板や、凹凸形状の表面からなる散乱板を用いる方法などがある。これらは、入射光に対して、均一な作用（拡散作用または散乱作用）を与えるものである。したがって、視野角分布に対する均一性を上げるためには、ビーズもしくは凹凸形状表面に対して臨界角以上の光入射の割合を増やし、入射光にケラレが生じることが必要となる。
【０００４】
ところが、そのようにケラレを生じさせた場合には、臨界角以上の光入射の割合が増えるため、輝度低下が生じる。このような輝度低下は消費電力の増大や電流密度の上昇を引き起こすことから、表示装置や光源装置に対する負荷が増大してしまうことになる。
【０００５】
また、散乱作用が非常に強い拡散板や散乱板を表示装置に適用した場合には、その散乱作用が強いことに起因して、表示画像のぼけやにじみ、反射光の増大といった問題が新たに発生する。したがって、表示装置への適用を考えた場合、鮮明な映像を提供することが困難となってしまう。
【０００６】
一方、近年では、角度選択性を有する異方性散乱フィルムが提案されている（例えば、特許文献１参照）。これは、フィルムの法線方向（厚み方向）に一定の屈折率をもつと共に、フィルムの面内方向に異なる屈折率の領域を設けるようにしたものである。このような面内方向の屈折率差により、全反射による散乱作用と透過作用とを生じさせ、上記した角度選択性を有するようになっている。
【０００７】
【特許文献１】特開２００７−２４９１８２号公報
【発明の開示】
【発明が解決しようとする課題】
【０００８】
上記特許文献１等で提案されている異方性散乱フィルムでは、従来の拡散板や散乱板と同様の多重反射による散乱作用に加え、面内方向の円柱形状の屈折率領域におけるレンズ効果によって、新たな散乱作用を与えている。ここで、このような円柱形状の屈折率領域におけるレンズ効果は、散乱作用という観点からは、非常に有効であると思われる。しかしながら、このような異方性散乱フィルムを表示装置に適用した場合、前述した拡散板や散乱板と同様に非常に強い画素ぼかしの効果が生じるため、鮮明な映像を提供することが困難となってしまうことになる。
【０００９】
なお、これまで述べたような問題は、自発光素子を用いた表示装置だけでなく、液晶素子などを用いた表示装置においても、同様に生じうるものである。
【００１０】
本発明はかかる問題点に鑑みてなされたもので、その目的は、正面方向の輝度低下の抑制と視野角特性の向上とを両立させつつ、従来よりも表示画質を向上させることが可能な表示装置および電子機器を提供することにある。
【課題を解決するための手段】
【００１１】
本発明の表示装置は、各画素に配置された発光素子と、この発光素子の観察面側に配置され、角度依存の配光特性を有する発光素子からの入射光を散乱させるための異方性散乱層とを備えたものである。ここで、上記異方性散乱層では、面内方向の領域が、複数の高屈折率領域と、これら高屈折率領域よりも屈折率の低い低屈折率領域とから構成されている。また、上記高屈折率領域が、厚み方向から傾斜してなる四角柱状であると共に、この四角柱状の高屈折率領域における矩形断面の一辺が、発光素子の発光面と略平行となっている。
【００１２】
本発明の電子機器は、表示機能を有する上記表示装置を備えたものである。
【００１３】
本発明の表示装置および電子機器では、角度依存の配光特性を有する発光素子からの入射光が異方性散乱層において散乱され、表示光として出射される。ここで、この異方性散乱層では、面内方向の領域が、厚み方向から傾斜した四角柱状からなる複数の高屈折率領域と上記低屈折率領域とから構成されていることにより、入射光の入射方向に応じて、異方性散乱層では異なる作用がなされる。すなわち、四角柱状の高屈折率領域の傾斜方向からの入射光は、この高屈折率領域内で多重反射され、傾斜方向へ選択的に散乱された表示光となる。また、この傾斜方向以外の方向からの入射光は、高屈折率領域を通過して表示光となる。その際、四角柱状の高屈折率領域における矩形断面の一辺が発光素子の発光面と略平行となっていることにより、従来とは異なり、傾斜方向以外の方向からの入射光が高屈折率領域において散乱されず、入射角を維持したまま出射される。
【発明の効果】
【００１４】
本発明の表示装置または電子機器によれば、異方性散乱層において、面内方向の領域を、厚み方向から傾斜した四角柱状からなる複数の高屈折率領域と上記低屈折率領域とから構成するようにしたので、四角柱状の高屈折率領域の傾斜方向に応じて、散乱された表示光を選択的に出射させることができる。また、四角柱状の高屈折率領域における矩形断面の一辺が発光素子の発光面と略平行となるようにしたので、傾斜方向以外の方向からの入射光が散乱されずに入射角を維持したまま出射することができ、従来と比べ、入射光の光量損失を低減する共に、散乱に起因した表示画像のぼけを抑えることができる。よって、正面方向の輝度低下の抑制と視野角特性の向上とを両立させつつ、従来よりも表示画質を向上させることが可能となる。
【発明を実施するための最良の形態】
【００１５】
以下、本発明の実施の形態について、図面を参照して詳細に説明する。
【００１６】
図１は、本発明の一実施の形態に係る表示装置（有機ＥＬ表示装置１）の断面構成（Ｚ−Ｘ断面構成）を表すものである。この有機ＥＬ表示装置１では、例えば、ガラスなどよりなる駆動用基板１１の上に、後述する複数の発光部１６Ｒ，１６Ｇ，１６Ｂがそれぞれ画素１０Ｒ，１０Ｇ，１０Ｂにマトリクス状に配置されている。また、駆動用基板１１の上には、映像表示用の画素駆動回路である信号線駆動回路や走査線駆動回路（図示せず）が形成されている。具体的には、駆動用基板１１と対向基板１５との間には、駆動用基板１１側から、発光部１６Ｒ，１６Ｇ，１６Ｂ、絶縁層１２、保護層１３、封止層１４、カラーフィルタ層１７Ｒ，１７Ｂ，１７Ｇおよびブラックマトリクス層ＢＭが、この順に積層されている。また、対向基板１５における駆動用基板１１の反対側（観察面側）には、異方性散乱フィルム１８（異方性散乱層）が一様に形成されている。
【００１７】
発光部１６Ｒ，１６Ｇ，１６Ｂはそれぞれ、画素１０Ｒ，１０Ｇ，１０Ｇに対応する領域に形成されており、赤色波長領域，緑色波長領域，青色波長領域の光を発する自発光型の発光素子（有機ＥＬ素子）により構成されている。図２は、この有機ＥＬ素子の断面構成（Ｚ−Ｘ断面構成）を詳細に表したものである。有機ＥＬ素子は、駆動用基板１１の側から、上述した画素駆動回路の駆動トランジスタ（図示せず）、ミラーとしての第１電極１６１、有機層である正孔注入層１６２、正孔輸送層１６３、発光層１６４および電子輸送層１６５、ならびにハーフミラーとしての第２電極１６６が、この順に積層された構造（共振器構造）となっている。このような共振器構造により、これら発光部１６Ｒ，１６Ｇ，１６Ｂから発せられた光は、角度依存の配光特性を有するようになっている。
【００１８】
これらの有機ＥＬ素子は、窒化ケイ素（ＳｉＮx）などの保護層１３により被覆され、更にこの保護層１３上に封止層１４を間にしてガラスなどよりなる対向基板１５が全面にわたって貼り合わされることにより封止されている。なお、駆動トランジスタは、絶縁膜１２に設けられた開口部１２−１を介して第１電極１６１に電気的に接続されている。
【００１９】
第１電極１６１は、例えば、ＡｇまたはＡｇ合金にＩＴＯ（インジウム・スズ複合酸化物）を積層した電極により構成されている。
【００２０】
発光部１６Ｒ，１６Ｇ，１６Ｂにおける有機層は、上述したように、第１電極１６１の側から順に、正孔注入層１６２，正孔輸送層１６３，発光層１６４および電子輸送層１６５を積層した構成を有するが、これらのうち発光層１６４以外の層は、必要に応じて設ければよい。また、このような有機層は、有機ＥＬ素子の発光色によってそれぞれ構成が異なっていてもよい。正孔注入層１６１は、正孔注入効率を高めるためのものであると共に、リークを防止するためのバッファ層である。正孔輸送層１６３、発光層１６４への正孔輸送効率を高めるためのものである。発光層１６４は、電界をかけることにより電子と正孔との再結合が起こり、光を発生するものである。この発光層１６４は、詳細は後述するように、電荷輸送性を有するホスト材料と、発光性を有するドーパント材料（ゲスト材料）とを含んでいる。電子輸送層１６５は、発光層１６４への電子輸送効率を高めるためのものである。なお、電子輸送層１６５と第２電極１６６との間に、例えば厚みが０．３ｎｍ程度であり、ＬｉＦ，Ｌｉ2 Ｏなどよりなる電子注入層（図示せず）を設けてもよい。
【００２１】
発光部１６Ｒの正孔注入層１６２は、例えば、厚みが５ｎｍ以上３００ｎｍ以下であり、４，４’，４”−トリス（３−メチルフェニルフェニルアミノ）トリフェニルアミン（ｍ−ＭＴＤＡＴＡ）あるいは４，４’，４”−トリス（２−ナフチルフェニルアミノ）トリフェニルアミン（２−ＴＮＡＴＡ）により構成されている。発光部１６Ｒの正孔輸送層１６３は、例えば、厚みが５ｎｍ以上３００ｎｍ以下であり、ビス［（Ｎ−ナフチル）−Ｎ−フェニル］ベンジジン（α−ＮＰＤ）により構成されている。発光部１６Ｒの発光層１６４は、例えば、厚みが１０ｎｍ以上１００ｎｍ以下であり、ホスト材料である９，１０−ジ−（２−ナフチル）アントラセン（ＡＤＮ）（ホスト材料）に、ドーパント材料である２，６≡ビス［４´≡メトキシジフェニルアミノ）スチリル］≡１，５≡ジシアノナフタレン（ＢＳＮ）を３０重量％混合したものにより構成されている。発光部１６Ｒの電子輸送層１６５は、例えば、厚みが５ｎｍ以上３００ｎｍ以下であり、８≡ヒドロキシキノリンアルミニウム（Ａｌｑ3 ）により構成されている。
【００２２】
発光部１６Ｇの正孔注入層１６２は、例えば、厚みが５ｎｍ以上３００ｎｍ以下であり、ｍ−ＭＴＤＡＴＡあるいは２−ＴＮＡＴＡにより構成されている。発光部１６Ｇの正孔輸送層１６３は、例えば、厚みが５ｎｍ以上３００ｎｍ以下であり、α−ＮＰＤにより構成されている。発光部１６Ｇの発光層１６４は、例えば、厚みが１０ｎｍ以上１００ｎｍ以下であり、ホスト材料であるＡＤＮに、ドーパント材料であるクマリン６（Ｃｏｕｍａｒｉｎ６）を５体積％混合したものにより構成されている。発光部１６Ｇの電子輸送層１６５は、例えば、厚みが５ｎｍ以上３００ｎｍ以下であり、Ａｌｑ3 により構成されている。
【００２３】
発光部１６Ｂの正孔注入層１６２は、例えば、厚みが５ｎｍ以上３００ｎｍ以下であり、ｍ−ＭＴＤＡＴＡあるいは２−ＴＮＡＴＡにより構成されている。発光部１６Ｂの正孔輸送層１６３は、例えば、厚みが５ｎｍ以上３００ｎｍ以下であり、α−ＮＰＤにより構成されている。発光部１６Ｂの発光層１６４は、例えば、厚みが１０ｎｍ以上１００ｎｍ以下であり、ホスト材料であるＡＤＮに、ドーパント材料である４，４´≡ビス［２≡｛４≡（Ｎ，Ｎ≡ジフェニルアミノ）フェニル｝ビニル］ビフェニル（ＤＰＡＶＢｉ）を２．５重量％混合したものにより構成されている。発光部１６Ｂの電子輸送層１６５は、例えば、厚みが５ｎｍ以上３００ｎｍ以下であり、Ａｌｑ3 により構成されている。
【００２４】
第２電極１６６は、例えば、厚みが５ｎｍ以上５０ｎｍ以下であり、アルミニウム（Ａｌ），マグネシウム（Ｍｇ），カルシウム（Ｃａ），ナトリウム（Ｎａ）などの金属元素の単体または合金により構成されている。中でも、マグネシウムと銀との合金（ＭｇＡｇ合金）、またはアルミニウム（Ａｌ）とリチウム（Ｌｉ）との合金（ＡｌＬｉ合金）が好ましい。
【００２５】
絶縁層１２は、駆動用基板１１の表面を平坦化するためのものであり、例えば、ポリイミド等の有機材料、あるいは酸化シリコン（ＳｉＯ2 ）などの無機材料により構成されている。
【００２６】
保護層１３は、発光部１６Ｒ，１６Ｇ，１６Ｂ内の有機層に水分などが侵入することを防止するためのものであり、透過水性および吸水性の低い材料により構成されると共に十分な厚みを有している。また、保護層１３は、発光層１６４で発生した光に対する透過性が高く、例えば８０％以上の透過率を有する材料により構成されている。このような保護層１３は、例えば、厚みが０．５μｍ〜７．０μｍ程度であり、無機アモルファス性の絶縁性材料により構成されている。具体的には、アモルファスシリコン（α−Ｓｉ），アモルファス炭化シリコン（α−ＳｉＣ），アモルファス窒化シリコン（α−Ｓｉ1-x Ｎx ）およびアモルファスカーボン（α−Ｃ）が好ましい。これらの無機アモルファス性の絶縁性材料は、グレインを構成しないので透水性が低く、良好な保護層１３となる。また、保護層１３は、ＩＴＯのような透明導電材料により構成されていてもよい。
【００２７】
封止層１４は、例えば熱硬化型樹脂または紫外線硬化型樹脂により構成されている。
【００２８】
対向基板１５は、発光部１６Ｒ，１６Ｇ，１６Ｂの第２電極１６６の側に位置しており、封止層１４と共に発光部１６Ｒ，１６Ｇ，１６Ｂを封止するものであり、発光部１６Ｒ，１６Ｇ，１６Ｂで発生した光に対して透明なガラスなどの材料により構成されている。対向基板１５には、例えば、カラーフィルタ層１７Ｒ，１７Ｇ，１７Ｂが設けられており、発光部１６Ｒ，１６Ｇ，１６Ｂで発生した光を取り出すと共に、発光部１６Ｒ，１６Ｇ，１６Ｂならびにその間の配線において反射された外光を吸収し、コントラストを改善するようになっている。この対向基板１５にはまた、後述するブラックマトリクス層ＢＭおよび異方性散乱フィルム１８が設けられている。
【００２９】
カラーフィルタ層は、赤色フィルタであるカラーフィルタ層１７Ｒ，緑色フィルタであるカラーフィルタ層１７Ｇおよび青色フィルタであるカラーフィルタ層１７Ｂにより構成されており、発光部１６Ｒ，１６Ｇ，１６Ｂに対応して、各画素に配置されている。カラーフィルタ層１７Ｒ，１７Ｇ，１７Ｂは、それぞれ例えば矩形形状で隙間なく形成されている。これらカラーフィルタ層１７Ｒ，１７Ｇ，１７Ｂは、顔料を混入した樹脂によりそれぞれ構成されており、顔料を選択することにより、目的とする赤，緑あるいは青の波長域における光透過率が高く、他の波長域における光透過率が低くなるように調整されている。
【００３０】
ブラックマトリクス層ＢＭは、画素１０Ｒ，１０Ｇ，１０Ｂ間に対応する領域に形成されており、画素１０Ｒ，１０Ｇ，１０Ｂの表示領域を区画すると共に、各色の区域どうしの境界における外光の反射の防止および画素間の光漏れを防止し、コントラストを高めるためのものである。このブラックマトリクス層ＢＭは、金属、金属酸化物および金属窒化物の薄膜層を積層したもの、または樹脂により構成されており、例えば、ＣｒＯｘ（ｘは任意数）およびＣｒの積層からなる２層クロムブラックマトリクス、あるいは反射率を低減させたＣｒＯｘ、ＣｒＮｙおよびＣｒ（ｘ，ｙは任意数）の積層からなる３層クロムブラックマトリクスなどにより構成されている。
【００３１】
異方性散乱フィルム１８は、角度依存の配光特性を有する発光部１６Ｒ，１６Ｇ，１６Ｂ（有機ＥＬ素子）からの入射光を散乱させるためのフィルムである。ここで、図３（Ａ）は、この異方性散乱フィルム１８の詳細な断面構成（Ｚ−Ｘ断面構成）を表したものである。また、図３（Ｂ）は、異方性散乱フィルム１８の平面構成（Ｘ−Ｙ平面構成）を表したものである。
【００３２】
この異方性散乱フィルム１８は、図３（Ａ）に示したように、例えばＰＥＴ（ポリエチレンテレフタレート）またはＴＡＣ（トリアセチルセルロース）などの材料よりなる支持部１８０上に、複数の散乱層が積層された構造となっている。具体的には、対向基板１５側から支持部１８０側へ沿って、低角散乱層１８１Ａ，１８１Ｂ、中間散乱層１８２Ａ，１８２Ｂおよび高角散乱層１８３Ａ，１８３Ｂの順に積層された６層構造となっている。
【００３３】
ここで、図４（Ａ）は、各散乱層１８１〜１８３の詳細な断面構造（Ｚ−Ｘ断面構造）を、発光部１６Ｒ，１６Ｇ，１６Ｂによる面光源１６０と共に表したものである。また、図４（Ｂ）は、各散乱層１８１〜１８３の詳細な断面構造（Ｘ−Ｙ断面構造）を面光源１６０と共に表したものである。
【００３４】
各散乱層１８１〜１８３では、例えば図４（Ｂ）に示したように、面内方向（Ｘ−Ｙ平面内方向）の領域が、複数の高屈折率領域１８Ｈ（例えば、屈折率が１．５５〜１．８０程度の屈折率領域）と、これら高屈折率領域１８Ｈよりも屈折率の低い低屈折率領域１８Ｌ（例えば、屈折率が１．５２〜１．７７程度の屈折率領域）とから構成されている。具体的には、Ｘ−Ｙ平面内方向において、複数の高屈折率領域１８Ｈが互いに接触しないようにマトリクス状に配置されると共に、これら高屈折率領域１８Ｈの隙間に低屈折率領域１８Ｌが配置されている。また、図４（Ａ），図４（Ｂ）に示したように、高屈折率領域１８Ｈは四角柱状であると共に、各散乱層１８１〜１８３の厚み方向（有機ＥＬ表示装置１の観察面の法線方向）に対し、傾斜角α（例えば、α＝１０°〜１５°程度）の分だけ傾斜している。また、図４（Ｂ）に示したように、この四角柱状の高屈折率領域１８Ｈにおける矩形断面の一辺（ここでは、Ｘ方向の一辺）が、面光源１６０の発光面と略平行となっている。なお、四角柱状の高屈折率領域１８Ｈにおける傾斜角αは、各散乱層１８１〜１８３への入射光の臨界角以下に設定されているのが好ましい。後述するように、この高屈折率領域１８Ｈ内で入射光が全反射されることにより、効果的な散乱作用を生じさせることができるからである。このような構成により各散乱層１８１〜１８３では、詳細は後述するが、例えば図５に示したようなヘイズ特性を示すようになっている。すなわち、入射角が臨界角（ここでは、±１５°）以下の光（例えば、図４（Ａ）に示した光線Ｌ１）を、全反射による多重反射によって選択的に散乱させると共に、入射角が臨界角以上の光（例えば、図４（Ａ），図４（Ｂ）に示した光線Ｌ２）を選択的に透過させるようになっている。
【００３５】
この異方性散乱フィルム１８ではまた、前述の図３（Ａ）に示した低角散乱層１８１Ａ，１８１Ｂ、中間散乱層１８２Ａ，１８２Ｂおよび高角散乱層１８３Ａ，１８３Ｂのように、四角柱状の高屈折率領域１８Ｈにおける傾斜角αが、複数の散乱層ごとに互いに異なっている。具体的には、低角散乱層１８１Ａ，１８１Ｂでは、傾斜角αが低角（例えば、α＝０°〜１０°程度）となり、中間散乱層１８２Ａ，１８２Ｂでは、傾斜角αが中間角（例えば、α＝８°〜２０°程度）となり、高角散乱層１８３Ａ，１８３Ｂでは、傾斜角αが高角（例えば、α＝１５°〜４５°程度）となっている。なお、低角散乱層１８１Ａ、中間散乱層１８２Ａおよび高角散乱層１８３Ａにおける傾斜方向は、例えば図３（Ｂ）中の矢印Ｐａの方向（＋Ｘ方向）となっている一方、低角散乱層１８１Ｂ、中間散乱層１８２Ｂおよび高角散乱層１８３Ｂにおける傾斜方向は、例えば図３（Ｂ）中の矢印Ｐｂの方向（−Ｘ方向）となっている。また、このような傾斜角αは、面光源１６０の発光面側から有機ＥＬ表示装置１の観察面側となるのに従って、低角→中間角→高角のように、次第に大きくなるように設定されている。
【００３６】
ここで、このような異方性散乱フィルム１８における各散乱層１８１〜１８３は、例えば以下のようにして形成される。すなわち、まず、各散乱層１８１〜１８３は、光硬化性化合物を含む組成物を硬化させてなることが好ましい。これによれば、異方性散乱フィルム１８を簡便に製造することができるからである。
【００３７】
上記光硬化性化合物を含む組成物の形態としては、（Ａ）光重合性化合物単独の形態、（Ｂ）光重合性化合物を複数混合して含む形態、（Ｃ）単独または複数の光重合性化合物と光重合性を有しない高分子樹脂とを混合して含む形態等が挙げられる。ここで、上記（Ａ）および（Ｃ）の形態における単独の光重合性化合物は、光重合の前後で屈折率変化が大きいものが好ましい。また、上記（Ｂ）および（Ｃ）の形態における複数の光重合性化合物としては、硬化後の屈折率の異なる組み合わせが好ましい。更に、上記（Ｃ）の形態における光重合性化合物と光重合性を有しない高分子樹脂としては、各々の硬化後の屈折率が異なる組み合わせが好ましい。なお、上記屈折率変化および屈折率の差は、０．０１以上であることが好ましく、０．０５以上であることがより好ましく、０．１０以上であることが更に好ましい。
【００３８】
また、上記光硬化性化合物は、ラジカル重合性もしくはカチオン重合性の官能基を有するポリマー、オリゴマーまたはモノマーの光重合性化合物（ラジカル重合性化合物またはカチオン重合性化合物）と光開始剤とを含み、紫外線及び可視光線を照射することで重合硬化する性質を有するものであることが好ましい。
【００３９】
上記カチオン重合性化合物としては、分子中にエポキシ基、ビニルエーテル基、および／または、オキセタン基を１個以上含有する化合物を用いることができる。上記分子中にエポキシ基を含有する化合物としては、ビスフェノールＡ、水添ビスフェノ−ルＡ、ビスフェノールＦ、ビスフェノールＡＤ、ビスフェノールＳ、テトラメチルビスフェノールＡ、テトラメチルビスフェノールＦ、テトラクロロビスフェノールＡ、テトラブロモビスフェノールＡ等のビスフェノール類のジグリシジルエーテル類、フェノールノボラック、クレゾールノボラック、ブロム化フェノールノボラック、オルトクレゾールノボラック等のノボラック樹脂のポリグリシジルエーテル類、エチレングリコール、ブタンジオール、１，６−ヘキサンジオール、ネオペンチルグリコール、トリメチロールプロパン、ビスフェノールＡのエチレンオキサイド（ＥＯ）付加物等のアルキレングリコール類のジグリシジルエーテル類、ヘキサヒドロフタル酸のグリシジルエステル、ダイマー酸のジグリシジルエステル等のグリシジルエステル類等が挙げられる。更に、３，４−エポキシシクロヘキサンメチル−３’，４’−エポキシシクロヘキシルカルボキシレート等の脂環式エポキシ化合物、１，４−ビス［（３−エチル−３−オキセタニルメトキシ）メチル］ベンゼン、３−エチル−３−（ヒドロキシメチル）−オキセタン等のオキセタン化合物、ジエチレングリコールジビニルエーテル、トリメチロールプロパントリビニルエーテル等のビニルエーテル化合物等も用いることができる。
【００４０】
上記光重合性化合物は、上述したものに限定されない。また、充分な屈折率の差を生じさせるべく、上記光重合性化合物には、低屈折率化を図るために、フッ素原子（Ｆ）を導入してもよく、高屈折率化を図るために、硫黄原子（Ｓ）、臭素原子（Ｂｒ）、各種金属原子を導入してもよい。また、各散乱層１８１〜１８３での高屈折率化を図るため、酸化チタン（ＴｉＯ２）、酸化ジルコニウム（ＺｒＯ２）、酸化錫（ＳｎＯｘ）等の高屈折率の金属酸化物からなる超微粒子の表面にアクリル基やエポキシ基等の光重合性官能基を導入した機能性超微粒子を光重合性化合物に添加することも有効である。
【００４１】
上記ラジカル重合性化合物を重合させることができる光開始剤としては、例えば、ベンゾフェノン、２，４−ジエチルチオキサントン、ベンゾインイソプロピルエーテル、２，２−ジエトキシアセトフェノン、ベンジルジメチルケタール、２，２−ジメトキシ−１，２−ジフェニルエタン−１−オン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノプロパノン−１、１−［４−（２−ヒドロキシエトキシ）−フェニル］−２−ヒドロキシ−２−メチル−１−プロパン−１−オン、ビス（シクロペンタジエニル）−ビス（２，６−ジフルオロ−３−（ピル−１−イル）チタニウム、２−ベンジル−２−ジメチルアミノ−１−（４−モルフォリノフェニル）−ブタノン−１，２，４，６−トリメチルベンゾイルジフェニルフォスフィンオキサイド等が挙げられる。
【００４２】
上記カチオン重合性化合物を重合させることができる光開始剤は、光照射によって酸を発生し、この発生した酸により上述のカチオン重合性化合物を重合させることができる化合物であり、一般的には、オニウム塩、メタロセン錯体が好適に用いられる。オニウム塩としては、ジアゾニウム塩、スルホニウム塩、ヨードニウム塩、ホスホニウム塩、セレニウム塩等が用いられ、これらの対イオンには、テトラフルオロホウ酸イオン（ＢＦ４−）、ヘキサフルオロリン酸イオン（ＰＦ６−）、ヘキサフルオロ砒素酸イオン（ＡｓＦ６−）、ヘキサフルオロアンチモン酸イオン（ＳｂＦ６−）等のアニオンが用いられる。カチオン重合性化合物の光開始剤としては、トリフェニルスルホニウムヘキサフルオロアンチモネート、トリフェニルスルホニウムヘキサフルオロホスフェート、（４−メトキシフェニル）フェニルヨードニウムヘキサフルオロアンチモネート、ビス（４−ｔ−ブチルフェニル）ヨードニウムヘキサフルオロホスフェート、（η５−イソプロピルベンゼン）（η５−シクロペンタジエニル）鉄（ＩＩ）ヘキサフルオロホスフェート等が挙げられる。
【００４３】
上記光開始剤は、光重合性化合物１００重量部に対して、０．０１重量部以上、１０重量部以下で配合されることが好ましい。上記光開始剤が、０．０１重量部未満であると、光硬化性が低下するおそれがあり、１０重量部を超えると、表面だけが硬化して内部の硬化性が低下するおそれがあるからである。上記光開始剤は、光重合性化合物１００重量部に対して、０．１重量部以上、７重量部以下で配合されることがより好ましく、０．１重量部以上、５重量部以下で配合されることが更に好ましい。
【００４４】
上記（Ｃ）の形態における光重合性を有しない高分子樹脂としては、アクリル樹脂、スチレン樹脂、スチレン−アクリル共重合体、ポリウレタン樹脂、ポリエステル樹脂、エポキシ樹脂、セルロース系樹脂、酢酸ビニル系樹脂、塩化ビニル−酢酸ビニル共重合体、ポリビニルブチラール樹脂等が挙げられる。これらの高分子樹脂は、光重合の前には、光重合性化合物と充分な相溶性を有していることが必要であり、このような相溶性を確保するために、各種有機溶剤や可塑剤等を用いることも可能である。なお、光重合性化合物としてアクリレートを用いる場合、高分子樹脂は、相溶性の観点から、アクリル樹脂の中から選択されることが好ましい。
【００４５】
上記組成物を硬化させる方法としては、特に限定されないが、例えば、上記組成物を基体上にシート状に設け、これに所定の方向から平行光線（紫外線等）を照射する方法が挙げられる。これにより、図４（Ａ），図４（Ｂ）に示した形状の高屈折率領域１８Ｈを形成することができる。
【００４６】
上記組成物を基体上にシート状に設ける手法としては、通常の塗工方式（コーティング）や印刷方式を用いることができる。具体的には、エアドクターコーティング、バーコーティング、ブレードコーティング、ナイフコーティング、リバースロールコーティング、トランスファロールコーティング、グラビアロールコーティング、キスロールコーティング、キャストコーティング、スプレーコーティング、スロットオリフィスコーティング、カレンダーコーティング、ダムコーティング、ディップコーティング、ダイコーティング等の塗工方式や、グラビア印刷等の凹版印刷、スクリーン印刷等の孔版印刷等の印刷方式を用いることができる。また、上記組成物の粘度が低い場合には、基体の周囲に所定の高さの構造物を設け、この構造物で囲まれた領域に液状の組成物を塗布する方法も用いることができる。
【００４７】
上記平行光線（紫外線等）を照射するために用いる光源としては、通常は、ショートアークの紫外線ランプが用いられ、具体的には、高圧水銀灯、低圧水銀灯、メタハライドランプ、キセノンランプ等を用いることができる。所定の方向から平行光線（紫外線等）を照射するために用いる装置としては、特に限定されないが、一定面積に均一な強度の平行紫外線を照射できるもので、市販装置の中から選択することが可能であるという観点から、レジスト露光用の露光装置を用いることが好ましい。なお、サイズが小さい散乱層を形成する場合は、紫外線スポット光源を点光源として、充分離れた距離から照射する方法も用いることが可能である。
【００４８】
上記組成物をシート状にしたものに照射される平行光線は、光重合性化合物を重合硬化することが可能な波長を含んでいることが必要であり、通常、水銀灯の３６５ｎｍを中心とする波長の光線が用いられる。この波長帯の光線を用いて散乱層を形成する場合、照度は、０．０１ｍＷ／ｃｍ２以上、１００ｍＷ／ｃｍ２以下であることが好ましい。照度が０．０１ｍＷ／ｃｍ２未満であると、硬化に長時間を要するため、生産効率が悪くなるおそれがあり、１００ｍＷ／ｃｍ２を超えると、光重合性化合物の硬化が速過ぎて構造形成を生じず、所望の異方散乱特性を発現できなくなるおそれがあるからである。上記照度は、０．１ｍＷ／ｃｍ２以上、２０ｍＷ／ｃｍ２以下であることがより好ましい。
【００４９】
次に、本実施の形態の表示装置（有機ＥＬ表示装置１）の作用および効果について、比較例と比較しつつ詳細に説明する。
【００５０】
この有機ＥＬ表示装置１では、図示しない画素駆動回路から供給される駆動信号により、各発光部１６Ｒ，１６Ｇ，１６Ｂにおける有機ＥＬ素子において、第１電極１６１および第２電極１６６の間に駆動電流が流れることにより、正孔と電子とが再結合し、発光層１６５において発光が起こる。この発光層１６５からの光は、第２電極１６，保護層１３，封止層１４，カラーフィルタ層１７Ｒ，１７Ｇ，１７Ｂおよび対向基板１５を透過し、表示装置外部へ取り出される。これにより、駆動信号に基づいた映像表示がなされる。
【００５１】
その際、各発光部１６Ｒ，１６Ｇ，１６Ｂが図２に示したような共振器構造であるため、各発光部１６Ｒ，１６Ｇ，１６Ｂから発せられた光は、例えば図６に示したように、角度依存の配光特性を示すことになる。これにより、輝度の視野角依存性が大きくなるため、そのままではこの場合、例えば視野角が４５°のときの輝度が、正面輝度（視野角が０°のときの輝度）の４０％程度に低下してしまうことになる。
【００５２】
ここで、例えば図７（Ａ），（Ｂ）に示した比較例１に係る従来の有機ＥＬ表示装置では、上記した角度依存の配光特性による輝度の視野角依存性を抑えるため、拡散板１０８が設けられている。この拡散板１０８では、低屈折率領域１０８Ｌ内に、真球状のビーズをなす高屈折率領域１０８Ｈがランダムに配置されている。このような拡散板１０８では、面光源１０６から入射光は、図７（Ａ）に示したＺ−Ｘ断面内（厚み方向）および図７（Ｂ）に示したＸ−Ｙ平面内のいずれの方向においても、図中の光線Ｌ１０１，Ｌ１０２のように、屈折率差によるレンズ効果を多重に受けるため、散乱されることになる。これにより、その散乱作用に起因して、表示画像のぼけやにじみおよび輝度低下が生じるため、表示画質が劣化してしまうことになる。
【００５３】
一方、例えば図８（Ａ），（Ｂ）に示した比較例２に係る従来の有機ＥＬ表示装置では、上記した角度依存の配光特性による輝度の視野角依存性を抑えるため、異方性散乱フィルム２０８が設けられている。この異方性散乱フィルム２０８では、図８（Ｂ）に示したように、フィルムの面内方向（Ｘ−Ｙ平面内の方向）に、低屈折率領域２０８Ｌと高屈折率領域２０８Ｈとが形成されている。また、この高屈折率領域２０８Ｈは、低屈折率領域２０Ｌ内でマトリクス状に配置されると共に、例えば図８（Ａ）に示したように、厚み方向（Ｚ方向）に対して傾斜角α２０１をなす円柱状となっている。このような異方性散乱フィルム２０８では、面内方向の屈折率差により、高屈折率領域２０８内での多重の全反射による散乱作用（図中の光線Ｌ２０１参照）と、透過作用（図中の光線Ｌ２０２参照）とが生じ、角度選択性を示す。すなわち、比較例１に係る拡散板１０８と同様の多重反射による散乱作用に加え、フィルム面内方向の円柱形状の高屈折率領域２０８Ｈにおけるレンズ効果によって、新たな散乱作用が生じている。しかしながら、このような異方性散乱フィルム２０８においても、比較例１に係る拡散板１０８と同様に、フィルム面内方向において、拡散作用に起因した強い画素ぼかしの効果および輝度低下が生じるため（図中の光線Ｌ２０２参照）、やはり表示画質が劣化してしまうことになる。
【００５４】
そこで本実施の形態の有機ＥＬ表示装置１では、例えば図４（Ａ），（Ｂ）に示した散乱層１８１〜１８３からなる異方性散乱フィルム１８が設けられている。具体的には、この異方性散乱フィルム１８では、フィルム面内方向（Ｘ−Ｙ平面内の方向）の領域が、厚み方向（Ｚ方向）から傾斜した四角柱状からなる複数の高屈折率領域１８Ｈと、低屈折率領域１８Ｌとから構成され、これにより入射光の入射方向に応じて異なる作用がなされる。すなわち、四角柱状の高屈折率領域１８Ｈの傾斜方向からの入射光（例えば、図中の光線Ｌ１）は、この高屈折率領域１８Ｈ内で多重反射され、傾斜方向へ選択的に散乱された表示光となる。また、この傾斜方向以外の方向からの入射光（例えば、図中の光線Ｌ２）は、高屈折率領域１８Ｈを通過して表示光となる。その際、高屈折率領域１８Ｈが四角柱形状であると共にその矩形断面の一辺（ここでは、Ｘ方向の一辺）が面光源１６０の発光面と略平行となっているため、比較例１に係る拡散板１０８（高屈折率領域１０８Ｈがおよび比較例２に係る異方性散乱フィルム２０８（高屈折率領域２０８Ｈが円柱状）とは異なり、傾斜方向以外の方向からの入射光（例えば、図中の光線Ｌ２）が高屈折率領域１８Ｈにおいて散乱されず、入射角（例えば、図中の入射角θ）を維持したまま出射される。すなわち、ビーズや円柱の断面のように曲面を通過しないことから、フィルム面内方向においてレンズ効果が発生せず、入射光の入射角θが維持されるため、表示画像においてぼけが生じないと共に、輝度低下も抑えられる。
【００５５】
なお、このような効果は、上記したように、四角柱状の高屈折率領域１８Ｈにおける矩形断面の一辺が、面光源１６０の発光面と略平行となっている場合に生ずるものである。したがって、例えば図９に示した異方性散乱フィルム３０８のように、四角柱状の高屈折率領域１８Ｈにおける矩形断面の一辺が、面光源１６０の発光面に対して傾斜している場合には、比較例１，２と同様に、フィルム面内方向（Ｘ−Ｙ平面内の方向）においてレンズ効果が発生してしまうことになる（図中の光線Ｌ３０１，Ｌ３０２参照）。
【００５６】
ここで、図１０（Ａ），（Ｂ）は、図３に示した各散乱層１８１〜１８３を、単層構造で有機ＥＬ表示装置１に設けた場合における配光特性例を表したものである。これらの図において、「±１５」，「０５−３５」，「１５−４５」，「２５−５５」はそれぞれ、散乱層における傾斜角αの範囲を表しており、以下同様である。図１０（Ｂ）に示した相対輝度の視野各依存性によれば、四角柱状の高屈折率領域１８Ｈの傾斜角αの大きさに応じて、各散乱層１８１〜１８３を設けない場合（有機ＥＬ素子本来の配光特性）と比べ、相対輝度が向上している角度領域が存在していることが分かる。このことは、例えば図５に示したようなヘイズ特性の散乱層を用いることにより、輝度の視野角特性の向上が可能であることを示している。また、図１０（Ａ）に示した絶対輝度の視野各依存性によれば、正面輝度の低下は例えば９％程度であり、従来の拡散板や散乱板（比較例１）を用いたとき（正面輝度の低下が約５０％程度）と比べ、大幅に抑制されていることが分かる。
【００５７】
ただし、このとき例えば図１１中の符号Ｐ１で示したように、フィルムの厚み方向の散乱に起因して、輝度の視野角特性が改善している角度領域の低角側に、輝度の視野角特性が劣化している角度領域（凹部）が存在していることが分かる。このような凹部が生じていると、例えば図１２（Ａ），（Ｂ）に示したように、表示エリアの画角（例えば、観察者が地点Ｐ１０にいる場合の画角θ１）によって、観察面に暗帯が発生してしまうことを意味している。このような暗帯が発生すると、表示画質において重大な欠陥となってしまう。
【００５８】
そこで、本実施の形態の有機ＥＬ表示装置１では、例えば図１３に示したように、配光特性Ｇ１１を示す散乱層における凹部Ｐ１１に対して、それよりも低角で散乱する散乱層（例えば、図中の配光特性Ｇ１２を示すもの）の凸部Ｐ１２を重ねることにより、散乱層の凹部Ｐ１１を解消させるようにするのが好ましい。このようにして、複数の散乱層を積層させて組み合わせる（具体的には、各散乱層における傾斜角αが、面光源１６０の発光面側から有機ＥＬ表示装置１の観察面側となるのに従って、低角→中間角→高角のように、次第に大きくなるように設定する）ことにより、各散乱層における輝度の視野角特性での凹凸を相殺もしくは緩和させることが可能となるからである。
【００５９】
具体的には、例えば表１に示した傾斜角α、凸部の角度（凸角度）、凹部の角度（凹角度）および層数からなる各散乱層では、例えば図１４に示したような配光特性Ｇ２１〜Ｇ２３を示す。また、各散乱層を低角側から積層させた場合には、例えば図１５（Ａ），（Ｂ）に示したような輝度の視野角特性を示すようになる。これらの図において、「（±２５）＆（０５−３５）＊２＆（１５−４５）＊２」は、傾斜角α＝±２５程度の散乱層と、傾斜角α＝５°〜３５°程度の散乱層２層と、傾斜角α＝１５°〜４５°程度の散乱層２層とを積層させたものを表している。具体的には、積層時の輝度の凹凸に若干のずれがあるために滑らかな変化とはなっていないが、各散乱層単体で発生していた凹凸がほぼ解消され、暗帯も観察されなかった。また、図１５（Ａ）に示した絶対輝度の視野角依存性によれば、散乱層の多層化によって、各散乱層単体のときよりも正面輝度の低下が約１２％増加してしまっているものの、従来の拡散板等を用いたとき（正面輝度の低下が約５０％）と比べると、正面輝度の低下は低く抑えられていることが分かる。また、図１５（Ｂ）に示した相対輝度の視野角依存性によれば、異方性散乱フィルム１８を設けない場合と比べ、視野角４５°のときの輝度が約３０％向上していることが分かる。さらに、例えば図１６に示した色度ずれの視野角依存性によれば、異方性散乱フィルム１８を設けない場合と比べ、異方性散乱フィルム１８による散乱作用により、色度のずれ量が約１／４程度に減少していることが分かる。
【００６０】
【表１】
2009265406.tif 000003
【００６１】
以上のように本実施の形態では、異方性散乱フィルム１８において、面内方向（Ｘ−Ｙ平面内の方向）の領域を、厚み方向（Ｚ方向）から傾斜した四角柱状からなる複数の高屈折率領域１８Ｈと、低屈折率領域１８Ｌとから構成するようにしたので、四角柱状の高屈折率領域１８Ｈの傾斜方向に応じて、散乱された表示光を選択的に出射させることができる。また、四角柱状の高屈折率領域１８Ｈにおける矩形断面の一辺（Ｘ方向の一辺）が面光源１６０の発光面と略平行となるようにしたので、傾斜方向以外の方向からの入射光が散乱されずに入射角θを維持したまま出射することができ、従来と比べ、入射光の光量損失を低減する共に、散乱に起因した表示画像のぼけを抑えることができる。よって、正面方向の輝度低下の抑制と視野角特性（輝度および色度ずれの視野角特性）の向上とを両立させつつ、従来よりも表示画質を向上させることが可能となる。
【００６２】
また、正面方向の輝度低下を抑制することができるため、有機ＥＬ表示装置１の低消費電力化および電流密度上昇の抑制が可能となり、有機ＥＬ素子等の劣化を抑え、長寿命化を図ることが可能となる。
【００６３】
また、異方性散乱フィルム１８を、積層された複数の散乱層１８１〜１８３により構成すると共に、四角柱状の高屈折率領域１８Ｈにおける傾斜角αが散乱層ごとに互いに異なっている（具体的には、四角柱状の高屈折率領域１８Ｈにおける傾斜角αが、発光面側から観察面側となるのに従って次第に大きくなっている）ようにしたので、各散乱層における輝度の視野角特性での凹凸を、相殺もしくは緩和させることが可能となる。
【００６４】
以下、本発明の変形例をいくつか挙げて説明する。なお、上記実施の形態における構成要素と同一のものには同一の符号を付し、適宜説明を省略する。
【００６５】
［変形例１］
図１７（Ａ），（Ｂ）は、変形例１に係る異方性散乱層（異方性散乱フィルム１８Ａ）の断面構成を表したものである。この異方性散乱フィルム１８Ａは、上記実施の形態で説明した視野角改善手法を、表示装置の長手方向（Ｘ方向）だけではなく垂直方向（Ｙ方向）に対しても適用させたものであり、４層×３＝１２層の構造となっている。具体的には、低角散乱層１８１Ａ〜１８１Ｄでは、傾斜角αが低角となり、中間散乱層１８２Ａ〜１８２Ｄでは、傾斜角αが中間角となり、高角散乱層１８３Ａ〜１８３Ｄでは、傾斜角αが高角となっている。また、低角散乱層１８１Ａ、中間散乱層１８２Ａおよび高角散乱層１８３Ａにおける傾斜方向は、例えば図１７（Ｂ）中の矢印Ｐａの方向（＋Ｘ方向）となっており、低角散乱層１８１Ｂ、中間散乱層１８２Ｂおよび高角散乱層１８３Ｂにおける傾斜方向は、例えば図１７（Ｂ）中の矢印Ｐｂの方向（−Ｘ方向）となっており、低角散乱層１８１Ｃ、中間散乱層１８２Ｃおよび高角散乱層１８３Ｃにおける傾斜方向は、例えば図１７（Ｂ）中の矢印Ｐｃの方向（＋Ｙ方向）となっており、低角散乱層１８１Ｄ、中間散乱層１８２Ｄおよび高角散乱層１８３Ｄにおける傾斜方向は、例えば図１７（Ｂ）中の矢印Ｐｄの方向（−Ｙ方向）となっている。さらに、このような傾斜角αは、面光源１６０の発光面側から有機ＥＬ表示装置１の観察面側となるのに従って、低角→中間角→高角のように、次第に大きくなるように設定されている。
【００６６】
このようにして本変形例の異方性散乱フィルム１８Ａでは、上記実施の形態で説明した視野角改善手法を、表示装置の長手方向（Ｘ方向）だけではなく垂直方向（Ｙ方向）に対しても適用させるようにしたので、上下左右方向（＋Ｘ方向、−Ｘ方向、＋Ｙ方向および−Ｙ方向）に対して、視野角改善を行うことが可能となる。
【００６７】
［変形例２］
図１８は、変形例２に係る異方性散乱層（異方性散乱フィルム１８Ｂ）の断面構成を表したものである。この異方性散乱フィルム１８Ｂでは、積層構造を保持している支持部が、ＡＲ（反射防止）処理が施されたＡＲ支持部１８０Ｂとなっている。
【００６８】
このようにして本変形例の異方性散乱フィルム１８Ｂでは、異方性散乱フィルム１８Ｂにおける支持部としてＡＲ支持部１８０Ｂを用いるようにしたので、ＡＲフィルムを別途用意する必要がなくなる。よって、表面からの正反射および追加のＡＲ処理を不要とすることにより、コストを低減することが可能となる。
【００６９】
［変形例３］
図１９は、変形例３に係る表示装置（有機ＥＬ表示装置１Ｃ）の断面構成を表したものである。この有機ＥＬ表示装置１Ｃでは、異方性散乱フィルム１８Ｃが、発光面の近傍、具体的には保護層１３と封止層１４との層間に配置されている。
【００７０】
このようにして本変形例の有機ＥＬ表示装置１Ｃでは、異方性散乱フィルム１８Ｃを発光面の近傍に配置するようにしたので、異方性散乱フィルム１８Ｃが多層構造の場合であっても、表示画像のぼけを最小限に抑えることが可能となる。
【００７１】
［変形例４］
図２０は、変形例４に係る表示装置（有機ＥＬ表示装置１Ｄ）の断面構成を表したものである。この有機ＥＬ表示装置１Ｄでは、各発光部１６Ｒ，１６Ｇ，１６Ｂ（有機ＥＬ素子）の観察面側に、光取り出し効率を向上させるための反射鏡１９が設けられている。そしてこのような反射鏡１９によって、各発光部１６Ｒ，１６Ｇ，１６Ｂから異方性散乱フィルム１８への入射光が、角度依存の配光特性を示すようになっている。
【００７２】
このようにして本変形例の有機ＥＬ表示装置１Ｄでは、各発光部１６Ｒ，１６Ｇ，１６Ｂ（有機ＥＬ素子）の観察面側に、光取り出し効率を向上させるための反射鏡１９と、異方性散乱フィルム１８とを設けるようにしたので、上記実施の形態と同様の作用により同様の効果を得ることが可能となる。
【００７３】
［変形例５］
図２１は、変形例５に係る表示装置（液晶表示装置２）の断面構成を表したものである。本変形例は、これまで説明した有機ＥＬ表示装置の代わりに、液晶表示装置において異方性散乱フィルムを設けるようにしたものである。この液晶表示装置２では、発光素子が、バックライト２０と、液晶素子とを含んで構成されている。
【００７４】
また、この液晶素子は、一対の透明基板（駆動用基板１１および対向基板１５）と、これら一対の透明基板間に充填された液晶層２２と、透明基板上に配置された一対の偏光板２１１，２１２と、駆動用基板１１側の画素電極２６１と、対向電極１５側の対向電極２６２とを含んで構成されている。そして異方性散乱フィルム１８が、観察面側の偏光板２１２よりも観察面側に配置されている。ただし、この異方性散乱フィルム１８の配置位置は、この位置には限られない。
【００７５】
このようにして本変形例の液晶表示装置２では、液晶表示装置２において異方性散乱フィルム１８を設けるようにしたので、上記実施の形態と同様の作用により同様の効果を得ることが可能となる。
【００７６】
また、異方性散乱フィルム１８を、観察面側の偏光板２１２よりも観察面側に配置するようにしたので、発光面側に配置した場合と比べ、コントラストの低下を抑えることが可能となる。
【００７７】
（適用例）
次に、図２２〜図２６を参照して、上記実施の形態および変形例で説明した表示装置の適用例について説明する。上記実施の形態等の表示装置は、テレビジョン装置，デジタルカメラ，ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器に適用することが可能である。
【００７８】
（適用例１）
図２２は、上記実施の形態等の表示装置が適用されるテレビジョン装置の外観を表したものである。このテレビジョン装置は、例えば、フロントパネル５１１およびフィルターガラス５１２を含む映像表示画面部５１０を有しており、この映像表示画面部５１０は、上記実施の形態等に係る表示装置により構成されている。
【００７９】
（適用例２）
図２３は、上記実施の形態等の表示装置が適用されるデジタルカメラの外観を表したものである。このデジタルカメラは、例えば、フラッシュ用の発光部５２１、表示部５２２、メニュースイッチ５２３およびシャッターボタン５２４を有しており、その表示部５２２は、上記実施の形態等に係る表示装置により構成されている。
【００８０】
（適用例３）
図２４は、上記実施の形態等の表示装置が適用されるノート型パーソナルコンピュータの外観を表したものである。このノート型パーソナルコンピュータは、例えば、本体５３１，文字等の入力操作のためのキーボード５３２および画像を表示する表示部５３３を有しており、その表示部５３３は、上記実施の形態等に係る表示装置により構成されている。
【００８１】
（適用例４）
図２５は、上記実施の形態等の表示装置が適用されるビデオカメラの外観を表したものである。このビデオカメラは、例えば、本体部５４１，この本体部５４１の前方側面に設けられた被写体撮影用のレンズ５４２，撮影時のスタート／ストップスイッチ５４３および表示部５４４を有しており、その表示部５４４は、上記実施の形態等に係る表示装置により構成されている。
【００８２】
（適用例５）
図２６は、上記実施の形態等の表示装置が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態等に係る表示装置により構成されている。
【００８３】
以上、実施の形態、変形例および適用例を挙げて本発明を説明したが、本発明はこれらの実施の形態等に限定されるものではなく、種々の変形が可能である。
【００８４】
例えば、上記実施の形態では、異方性散乱フィルムが、積層された複数の散乱層からなる多層構造により構成されている場合について説明したが、異方性散乱フィルムが単一の散乱層により構成されているようにしてもよい。また、この場合において、四角柱状の高屈折率領域１８Ｈが、単一の散乱層内で互いに異なる複数の傾斜角αを有するようにしてもよい。
【００８５】
また、異方性散乱フィルムの配置位置は、上記実施の形態で説明した位置には限られず、発光素子の観察面側の任意の位置に配置することが可能である。
【００８６】
また、上記実施の形態では、四角柱状の高屈折率領域１８Ｈが、低屈折率領域１８Ｌ内でマトリクス状に配置されている場合について説明したが、例えば、四角柱状の高屈折率領域１８Ｈが、低屈折率領域１８Ｌ内でランダムに配置されているようにしてもよい。
【００８７】
また、異方性散乱フィルムの各散乱層における高屈折率領域１８Ｈの傾斜方向および層数は、上記実施の形態で説明したものには限られず、任意の傾斜方向および層数に設定することが可能である。例えば、１２０度ずつ異なる傾斜方向の３層構造×３種類の散乱角＝９層の構造としてもよい。
【００８８】
また、上記実施の形態では、発光素子を備えた表示装置の一例として、有機ＥＬ素子を発光部１６Ｒ，１６Ｇ，１６Ｂにおいて備えた有機ＥＬ表示装置１，１Ｃ，１Ｄと、液晶素子を備えた液晶表示装置２とを挙げて説明したが、本発明は、例えば、発光素子として無機ＥＬ素子を備えた無機ＥＬ表示装置や、ＦＥＤ（Field Emission Display；電界放出ディスプレイ）などの他の表示装置にも適用することが可能である。
【図面の簡単な説明】
【００８９】
【図１】本発明の一実施の形態に係る表示装置の構成を表す断面図である。
【図２】図１に示した発光部の詳細構成を表す断面図である。
【図３】図１に示した異方性散乱フィルムの詳細構成を表す断面図および平面図である。
【図４】図１に示した異方性散乱フィルムの詳細構成および作用について説明するための断面図である。
【図５】図４に示した四角柱状硬化領域におけるヘイズ特性の一例を表す特性図である。
【図６】図１に示した発光部における配光特性の一例を表す特性図である。
【図７】比較例１に係る従来の散乱フィルムの構成および作用を表す断面図である。
【図８】比較例２に係る従来の散乱フィルムの構成および作用を表す断面図である。
【図９】図４に示した四角柱状硬化領域を傾斜配置させた場合の構成および作用を説明するための断面図である。
【図１０】図３に示した各散乱層における配光特性の一例を表す特性図である。
【図１１】散乱層の配光特性において生ずる凹部の一例について説明するための特性図である。
【図１２】図１１に示した配光特性における凹部により生ずる暗帯の一例を表す断面図および平面図である。
【図１３】図１２に示した暗帯の発生防止方法の原理について説明するための特性図である。
【図１４】図１２に示した暗帯の発生防止のために用いられる各散乱層の配光特性の一例を表す特性図である。
【図１５】図１４に示した各散乱層を組み合わせた場合における表示装置の視野角輝度特性の一例を表す特性図である。
【図１６】図１４に示した各散乱層を組み合わせた場合における表示装置の視野角色度ずれ特性の一例を表す特性図である。
【図１７】本発明の変形例１に係る異方性散乱フィルムの構成を表す断面図および平面図である。
【図１８】本発明の変形例２に係る異方性散乱フィルムの構成を表す断面図である。
【図１９】本発明の変形例３に係る表示装置の構成を表す断面図である。
【図２０】本発明の変形例４に係る表示装置の構成を表す断面図である。
【図２１】本発明の変形例５に係る表示装置の構成を表す断面図である。
【図２２】本発明の表示装置の適用例１の外観を表す斜視図である。
【図２３】（Ａ）は適用例２の表側から見た外観を表す斜視図であり、（Ｂ）は裏側から見た外観を表す斜視図である。
【図２４】適用例３の外観を表す斜視図である。
【図２５】適用例４の外観を表す斜視図である。
【図２６】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【符号の説明】
【００９０】
１，１Ａ〜１Ｄ…有機ＥＬ表示装置、１０Ｒ，１０Ｇ，１０Ｂ…画素、１１…駆動用基板、１２…絶縁層、１２−１…開口部、１３…保護層、１４…封止層、１５…対向基板、１６Ｒ，１６Ｇ，１６Ｂ…発光部、１６０…面光源、１６１…第１電極、１６２…正孔注入層、１６３…正孔輸送層、１６４…発光層、１６５…電子輸送層、１６６…第２電極、１７Ｒ，１７Ｇ，１７Ｂ…カラーフィルタ層、１８，１８Ａ〜１８Ｃ…異方性散乱フィルム、１８Ｌ…低屈折率領域、１８Ｈ…高屈折率層（四角柱状硬化領域）、１８０…支持部、１８０Ｂ…ＡＲ支持部、１８１Ａ〜１８１Ｄ…低角散乱層、１８２Ａ〜１８２Ｄ…中間散乱層、１８３Ａ〜１８３Ｄ…高角散乱層、１９…反射鏡、２…液晶表示装置、２１１，２１２…偏光板、２２…液晶層、２６１，２６２…画素電極、５１０…映像表示画面部、５１１…フロントパネル、５１２…フィルターガラス、５２１…発光部、５２２…表示部、５２３…メニュースイッチ、５２４…シャッターボタン、５３１…本体、５３２…キーボード、５３３…表示部、５４１…本体部、５４２…レンズ、５４３…スタート／ストップスイッチ、５４４…表示部、７１０…上部筐体、７２０…下部筐体、７３０…連結部、７４０…ディスプレイ、７５０…サブディスプレイ、７６０…ピクチャーライト、７７０…カメラ、ＢＭ…ブラックマトリクス層、α…傾斜角、θ…入射角（射出角）、Ｌ１〜Ｌ２…光線、Ｌout…表示光（射出光）。
【図１】
2009265406.tif 000004
【図２】
2009265406.tif 000005
【図３】
2009265406.tif 000006
【図４】
2009265406.tif 000007
【図５】
2009265406.tif 000008
【図６】
2009265406.tif 000009
【図７】
2009265406.tif 000010
【図８】
2009265406.tif 000011
【図９】
2009265406.tif 000012
【図１０】
2009265406.tif 000013
【図１１】
2009265406.tif 000014
【図１２】
2009265406.tif 000015
【図１３】
2009265406.tif 000016
【図１４】
2009265406.tif 000017
【図１５】
2009265406.tif 000018
【図１６】
2009265406.tif 000019
【図１７】
2009265406.tif 000020
【図１８】
2009265406.tif 000021
【図１９】
2009265406.tif 000022
【図２０】
2009265406.tif 000023
【図２１】
2009265406.tif 000024
【図２２】
2009265406.tif 000025
【図２３】
2009265406.tif 000026
【図２４】
2009265406.tif 000027
【図２５】
2009265406.tif 000028
【図２６】
2009265406.tif 000029